【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
以下の工程を含む、第1のデバイスと第2のデバイスとの間の通信リンクを管理する方法：
前記第1のデバイスによって送信された第1の電磁EHF信号を、前記第2のデバイスにより受信する工程であって、前記第1のデバイスが第1のシールド部によって一部取り囲まれた第1の送信機および第1の受信機を含み、前記第2のデバイスが第2のシールド部によって一部取り囲まれた第2の送信機および第2の受信機を含む、工程；
前記第1のデバイスの前記第1のシールド部と前記第2のデバイスの前記第2のシールド部とが位置合わせされていることを、受信した前記第1の電磁EHF信号が示しているかどうかを、前記第2のデバイスにより判定する工程；および
前記第1のシールド部と前記第2のシールド部とが位置合わせされていることを、受信した前記第1の電磁EHF信号が示しているという判定に応答して、前記第2のデバイスによる変調された第2の電磁EHF信号の送信を、前記第2のデバイスにより可能にする工程。
【請求項２】
前記第1のデバイスの前記第1のシールド部と前記第2のデバイスの前記第2のシールド部とが位置合わせされていることを、受信した前記第1の電磁EHF信号が示しているかどうかを判定する工程が、前記第1のシールド部と前記第2のシールド部とが、相互に近接して位置合わせされているかどうかを判定する工程を含む、請求項1に記載の方法。
【請求項３】
前記第2のデバイスからの変調された前記第2の電磁EHF信号の前記第1のデバイスによる受信に応答して、前記第1のデバイスによって送信された変調された第3の電磁EHF信号を、前記第2のデバイスにより受信する工程をさらに含む、請求項1に記載の方法。
【請求項４】
前記第1の電磁EHF信号の前記第2のデバイスによる受信に応答して、変調されていないかまたは低レベル変調された第2の電磁EHF信号を、前記第2のデバイスにより前記第1のデバイスへ送信する工程をさらに含む、請求項1に記載の方法。
【請求項５】
前記第1のデバイスの第1のシールド部と前記第2のデバイスの第2のシールド部とが位置合わせされていることを、受信した前記第1の電磁EHF信号が示しているかどうかを判定する工程が、受信した前記第1の電磁EHF信号が高レベル変調で変調されているかどうかを、前記第2のデバイスにより判定する工程からなる、請求項1に記載の方法。
【請求項６】
前記第1の電磁EHF信号の前記第2のデバイスによる受信の前に、変調されていないかまたは低レベル変調された第2の電磁EHF信号を、前記第2のデバイスにより前記第1のデバイスへ送信する工程をさらに含む、請求項1に記載の方法。
【請求項７】
変調された前記第2の電磁EHF信号が、前記第1のシールド部と前記第2のシールド部とが位置合わせされているときには規定の放射規制範囲内の電磁放射を有し、かつ、前記第1のシールド部と前記第2のシールド部とが位置合わせされていないときには前記規定の放射規制範囲を超える電磁放射を有する、請求項1に記載の方法。
【請求項８】
変調された前記第2の電磁EHF信号が高レベル変調信号である、請求項1に記載の方法。
【請求項９】
以下の工程をさらに含む、請求項1に記載の方法：
前記第2のデバイスによる変調された第2の電磁EHF信号の送信を可能にする工程の後で、前記第1のデバイスによって送信された前記第1の電磁EHF信号を、前記第2のデバイスにより引き続き受信する工程；
前記第1のシールド部と前記第2のシールド部とが位置合わせされていることを、受信した続いている前記第1の電磁EHF信号が示しているかどうかを、前記第2のデバイスにより判定する工程；および
前記第1のシールド部と前記第2のシールド部とが位置合わせされていないことを、受信した続いている前記第1の電磁EHF信号が示しているという判定に応答して、前記第2のデバイスによる前記変調された第2の電磁EHF信号の送信を、前記第2のデバイスにより不可能にする工程。
【請求項１０】
以下の工程を含む、第1のデバイスと第2のデバイスとの間の通信リンクを管理する方法：
前記第1のデバイスによって送信された第1の電磁EHF信号を、前記第2のデバイスにより受信する工程であって、前記第1のデバイスが第1のシールド部によって一部取り囲まれた第1の送信機および第1の受信機を含み、前記第2のデバイスが第2のシールド部によって一部取り囲まれた第2の送信機および第2の受信機を含む、工程；
前記第1のデバイスの前記第1のシールド部と前記第2のデバイスの前記第2のシールド部とが位置合わせされていることを、受信した前記第1の電磁EHF信号が示しているかどうかを、前記第2のデバイスにより判定する工程；および
前記第1のシールド部と前記第2のシールド部とが位置合わせされていないことを、受信した前記第1の電磁EHF信号が示しているという判定に応答して、前記第2のデバイスによる変調された第2の電磁EHF信号の送信を、前記第2のデバイスにより不可能にする工程。
【手続補正２】
【補正対象書類名】明細書
【補正対象項目名】００１１
【補正方法】変更
【補正の内容】
【００１１】
いくつかの例では、第1のデバイスと第2のデバイスとの間の通信リンクを確立するための、第1および第2のデバイスを有するシステムにおいて使用するための第1のデバイスは、対応する第2のデバイスによって必要とされる規定のコードで低レベル変調された第1の電磁EHF信号を第2のデバイスへと送信するように構成された第1のEHF通信ユニットを含んでもよい。第2のEHF通信ユニットは、第2のデバイスによって送信される第2の電磁EHF信号を受信するように構成されていてもよい。信号コントローラは、受信した第2の電磁EHF信号が高レベル変調で変調されているかどうかを判定するように構成されていてもよい。受信した第2の電磁EHF信号が高レベル変調で変調されている場合、第1のEHF通信ユニットによる低レベル変調された第1の電磁EHF信号の送信を不可能にすることができ、高レベル変調の第1の電磁EHF信号の送信を可能にすることができる。
[本発明1001]
以下の工程を含む、第1のシールド部を有する第1のデバイスと、第2のシールド部を有する第2のデバイスとの間の通信リンクを管理する方法：
前記第1のデバイスによって送信された第1の電磁EHF信号を、前記第2のデバイスにより受信する工程；
前記第1のデバイスの前記第1のシールド部と前記第2のデバイスの前記第2のシールド部とが位置合わせされていることを、受信した前記第1の電磁EHF信号が示しているかどうかを、前記第2のデバイスにより判定する工程；および
前記第1のシールド部と前記第2のシールド部とが位置合わせされていることを、受信した前記第1の電磁EHF信号が示しているという判定に応答して、前記第2のデバイスによる変調された第2の電磁EHF信号の送信を、前記第2のデバイスにより可能にする工程。
[本発明1002]
前記第1のデバイスの前記第1のシールド部と前記第2のデバイスの前記第2のシールド部とが位置合わせされていることを、受信した前記第1の電磁EHF信号が示しているかどうかを判定する工程が、前記第1のシールド部と前記第2のシールド部とが、前記第1のシールド部および前記第2のシールド部が連続したシールドを形成するのに十分なほど位置合わせされているかどうかを判定する工程を含む、本発明1001の方法。
[本発明1003]
前記第2のデバイスからの変調された前記第2の電磁EHF信号の前記第1のデバイスによる受信に応答して、前記第1のデバイスによって送信された変調された第3の電磁EHF信号を、前記第2のデバイスにより受信する工程をさらに含む、本発明1001の方法。
[本発明1004]
前記第1の電磁EHF信号の前記第2のデバイスによる受信に応答して、変調されていないかまたは低レベル変調された第2の電磁EHF信号を、前記第2のデバイスにより前記第1のデバイスへ送信する工程をさらに含む、本発明1001の方法。
[本発明1005]
前記第1のデバイスの第1のシールド部と前記第2のデバイスの第2のシールド部とが位置合わせされていることを、受信した前記第1の電磁EHF信号が示しているかどうかを判定する工程が、受信した前記第1の電磁EHF信号が高レベル変調で変調されているかどうかを、前記第2のデバイスにより判定する工程からなる、本発明1001の方法。
[本発明1006]
前記第1の電磁EHF信号の前記第2のデバイスによる受信の前に、変調されていないかまたは低レベル変調された第2の電磁EHF信号を、前記第2のデバイスにより前記第1のデバイスへ送信する工程をさらに含む、本発明1001の方法。
[本発明1007]
変調された前記第2の電磁EHF信号が、前記第1のシールド部と前記第2のシールド部とが位置合わせされているときには規定の放射規制範囲内の電磁放射を有し、かつ、前記第1のシールド部と前記第2のシールド部とが位置合わせされていないときには前記規定の放射規制範囲を超える電磁放射を有する、本発明1001の方法。
[本発明1008]
変調された前記第2の電磁EHF信号が高レベル変調信号である、本発明1001の方法。
[本発明1009]
以下の工程をさらに含む、本発明1001の方法：
前記第2のデバイスによる変調された第2の電磁EHF信号の送信を可能にする工程の後で、前記第1のデバイスによって送信された前記第1の電磁EHF信号を、前記第2のデバイスにより引き続き受信する工程；
前記第1のシールド部と前記第2のシールド部とが位置合わせされていることを、受信した続いている前記第1の電磁EHF信号が示しているかどうかを、前記第2のデバイスにより判定する工程；および
前記第1のシールド部と前記第2のシールド部とが位置合わせされていないことを、受信した続いている前記第1の電磁EHF信号が示しているという判定に応答して、前記第2のデバイスによる前記変調された第2の電磁EHF信号の送信を、前記第2のデバイスにより不可能にする工程。
[本発明1010]
以下の工程を含む、第1のシールド部を有する第1のデバイスと、第2のシールド部を有する第2のデバイスとの間の通信リンクを管理する方法：
前記第1のデバイスによって送信された第1の電磁EHF信号を、前記第2のデバイスにより受信する工程；
前記第1のデバイスの前記第1のシールド部と前記第2のデバイスの前記第2のシールド部とが位置合わせされていることを、受信した前記第1の電磁EHF信号が示しているかどうかを、前記第2のデバイスにより判定する工程；および
前記第1のシールド部と前記第2のシールド部とが位置合わせされていないことを、受信した前記第1の電磁EHF信号が示しているという判定に応答して、前記第2のデバイスによる変調された第2の電磁EHF信号の送信を、前記第2のデバイスにより不可能にする工程。
[本発明1011]
以下の工程を含む、第1のデバイスと第2のデバイスとの間の通信リンクを管理する方法：
前記第1のデバイスによって送信された第1の電磁EHF信号を、前記第2のデバイスへの近接場結合により受信する工程；
前記第1のデバイスが前記第2のデバイスとの通信について許容できるデバイスであることを、受信した前記第1の電磁EHF信号が示しているかどうかを、前記第2のデバイスにより判定する工程；および
前記第1のデバイスが許容できるデバイスであるという判定に応答して、前記第2のデバイスによる変調された第2の電磁EHF信号の近接場結合による送信を、前記第2のデバイスにより可能にする工程。
[本発明1012]
前記第1のデバイスが許容できるデバイスであるかどうかを判定する工程が、前記第1のデバイスによって送信されたロック解除コードが許容できるロック解除コードであるかどうかを判定する工程を含む、本発明1011の方法。
[本発明1013]
前記第1のデバイスによって送信されたロック解除コードが許容できるロック解除コードであるかどうかを判定する工程が、前記ロック解除コードが許容できるデバイスを識別するかどうかを判定する工程を含む、本発明1012の方法。
[本発明1014]
前記第1のデバイスが許容できるデバイスであるかどうかを判定する工程が、受信した前記第1の電磁EHF信号が1つまたは複数の規定の基準に基づいて変調されているかどうかを判定する工程を含む、本発明1011の方法。
[本発明1015]
受信した前記第1の電磁EHF信号が1つまたは複数の規定の基準に基づいて変調されているかどうかを判定する工程が、受信した前記第1の電磁EHF信号が許容できる認証パターンに従って書式設定されたデータで変調されているかどうかを判定する工程を含む、本発明1014の方法。
[本発明1016]
受信した前記第1の電磁EHF信号が1つまたは複数の規定の基準に基づいて変調されているかどうかを判定する工程が、前記第1のシールド部と前記第2のシールド部とが位置合わせされていると判定した後で、受信した前記第1の電磁EHF信号が許容できるロック解除コードを定義するデータで変調されているかどうかを判定する工程を含む、本発明1014の方法。
[本発明1017]
受信した前記第1の電磁EHF信号が1つまたは複数の規定の基準に基づいて変調されているかどうかを判定する工程が、受信した前記第1の電磁EHF信号が許容できるデータパターン、許容できるデータレート、許容できるビット誤り率、および許容できるプロトコルのうちの少なくとも一つに基づいて変調されているかどうかを判定する工程をさらに含む、本発明1014の方法。
[本発明1018]
受信した前記第1の電磁EHF信号が1つまたは複数の規定の基準に基づいて変調されているかどうかを判定する工程が、受信した前記第1の電磁EHF信号の強度が規定の期間にわたって規定の閾値より大きいかどうかを判定する工程をさらに含む、本発明1014の方法。
[本発明1019]
前記第1のデバイスが許容できるデバイスであるかどうかを判定する工程が、前記第1のデバイスの第1のアンテナおよび前記第2のデバイスの第2のアンテナのうちの少なくとも一方のインピーダンスを、前記第2のデバイスにより検出する工程をさらに含む、本発明1011の方法。
[本発明1020]
前記第1のデバイスが許容できるデバイスであるかどうかを判定する工程が、前記第2のデバイスから前記第1のデバイスへ送信されて該第1のデバイスから該第2のデバイスへ戻って受信される電磁EHF信号の飛行時間を決定する工程をさらに含む、本発明1011の方法。
[本発明1021]
以下の工程を含む、通信リンクを管理する方法：
対応する第2のデバイスによって必要とされる規定のコードで低レベル変調された第1の電磁EHF信号を、第1のデバイスからの近接場結合により送信する工程；
前記第2のデバイスによって送信された第2の電磁EHF信号を、前記第1のデバイスへの近接場結合により受信する工程；
受信した前記第2の電磁EHF信号が高レベル変調で変調されているかどうかを、前記第1のデバイスにより判定する工程；および
受信した前記第2の電磁EHF信号が高レベル変調で変調されているという判定に応答して、高レベル変調された第1の電磁EHF信号を送信する工程。
[本発明1022]
以下の工程をさらに含む、本発明1021の方法：
高レベル変調された前記第1の電磁EHF信号を送信する工程の後に、
前記第2の電磁EHF信号がもはや受信されていないと判定する工程；および
前記第2の電磁EHF信号がもはや受信されていないという前記判定に応答して、前記第1の電磁EHF信号のそれ以上の送信を打ち切る工程。
[本発明1023]
前記第2の電磁EHF信号がもはや受信されていないという判定に応答して、低レベル変調された第1の電磁EHF信号を送信する工程をさらに含む、本発明1022の方法。
[本発明1024]
以下を備える、第1のシールド部を有する第1のデバイスとの通信リンクにおいて使用するための第2のデバイス：
前記第1のデバイスによって送信される第1の電磁EHF信号を受信するように構成された第1のEHF通信ユニット；
前記第1のEHF通信ユニットのための部分シールドを提供する第2のシールド部；および
前記第1のEHF通信ユニットに連結されており、かつ
前記第1のデバイスの前記第1のシールド部と前記第2のデバイスの前記第2のシールド部とが位置合わせされていることを、受信した前記第1の電磁EHF信号が示しているかどうかを判定し、かつ
前記第1のシールド部と前記第2のシールド部とが位置合わせされていることを、受信した前記第1の電磁EHF信号が示しているという判定に応答して、前記第1のEHF通信ユニットによる変調された第2の電磁EHF信号の送信を可能にする
ように構成された第1の信号コントローラ。
[本発明1025]
前記第1の信号コントローラが、前記第1のシールド部と前記第2のシールド部とが、該第1のシールド部および該第2のシールド部が連続したシールドを形成するのに十分なほど位置合わせされているかどうかを判定するようにさらに構成されている、本発明1024の第2のデバイス。
[本発明1026]
前記第1の信号コントローラが、前記第1のデバイスが許容できるデバイスであるかどうかを判定するようにさらに構成されている、本発明1024の第2のデバイス。
[本発明1027]
前記第1の信号コントローラが、前記第1のデバイスによって送信されたロック解除コードが許容できるロック解除コードであるかどうかを判定するようにさらに構成されている、本発明1026の第2のデバイス。
[本発明1028]
前記第1の信号コントローラが、前記ロック解除コードが許容できるデバイスを識別するかどうかを判定するようにさらに構成されている、本発明1027の第2のデバイス。
[本発明1029]
前記第1の信号コントローラが、受信した前記第1の電磁EHF信号が1つまたは複数の規定の基準に基づいて変調されているかどうかを判定するようにさらに構成されている、本発明1026の第2のデバイス。
[本発明1030]
前記第1の信号コントローラが、受信した前記第1の電磁EHF信号が許容できる認証パターンに従って書式設定されたデータで変調されているかどうかを判定するようにさらに構成されている、本発明1029の第2のデバイス。
[本発明1031]
前記第1の信号コントローラが、受信した前記第1の電磁EHF信号が許容できるデータパターン、許容できるデータレート、許容できるビット誤り率、および許容できるプロトコルのうちの少なくとも一つで変調されているかどうかを判定するようにさらに構成されている、本発明1029の第2のデバイス。
[本発明1032]
前記第1の信号コントローラが、受信した前記第1の電磁EHF信号が規定の期間にわたって規定の閾値より大きい強度を有するかどうかを判定するようにさらに構成されている、本発明1029の第2のデバイス。
[本発明1033]
前記第1の信号コントローラが、前記第1のデバイスの第1のアンテナおよび前記第2のデバイスの第2のアンテナの少なくとも一方のインピーダンスを決定するようにさらに構成されている、本発明1026の第2のデバイス。
[本発明1034]
前記第1の信号コントローラが、前記第2のデバイスから前記第1のデバイスへ送信されて該第1のデバイスから該第2のデバイスへ送り返される電磁EHF信号の飛行時間を決定するようにさらに構成されている、本発明1026の第2のデバイス。
[本発明1035]
本発明1024の第2のデバイスと第1のデバイスとを備えるシステムであって、前記第1のデバイスが、前記第1の電磁EHF信号を送信するように構成された第2のEHF通信ユニットを備え、該第2のEHF通信ユニットが、前記第2のデバイスからの変調された第2の電磁EHF信号の前記第1のデバイスによる受信に応答して、前記第1の電磁EHF信号を変調された第1の電磁EHF信号として前記第1のデバイスへ送信するように構成されている、前記システム。
[本発明1036]
本発明1024の第2のデバイスと第1のデバイスとを備えるシステムであって、前記第1のデバイスが、前記第1の電磁EHF信号を送信するように構成された第2のEHF通信ユニットを備え、前記第1のデバイスが、前記第2の電磁EHF信号を受信するように構成された第3のEHF通信ユニットをさらに備え、かつ前記第2のデバイスが、前記第1の信号コントローラに連結されておりかつ前記第2の電磁EHF信号を送信するように構成された第4のEHF通信ユニットをさらに備える、前記システム。
[本発明1037]
前記第1のデバイスが、前記第1のデバイスと前記第2のデバイスとが位置合わせされているかどうかを、前記第4のEHF通信ユニットによって送信されて前記第3のEHF通信ユニットによって受信される前記第2の電磁EHF信号の1つまたは複数の特性を評価することによって判定するように構成された第2の信号コントローラをさらに備える、本発明1036のシステム。
[本発明1038]
本発明1024の第2のデバイスと第1のデバイスとを備えるシステムであって、前記第2のデバイスが、前記第1のEHF通信ユニットを一部取り囲む第1のシールド部をさらに備え、前記第1のデバイスが、前記第1の電磁EHF信号を送信するように構成された第2のEHF通信ユニットと、該第2のEHF通信ユニットを一部取り囲む第2のシールド部とを備え、前記第1のデバイスおよび前記第2のデバイスが各々、前記第1のEHF通信ユニットと前記第2のEHF通信ユニットとの位置合わせの結果として前記第1のシールド部と前記第2のシールド部との実質的な位置合わせが得られるように構成されている、前記システム。
[本発明1039]
前記第1の信号コントローラが、前記第1のEHF通信ユニットによる前記第1の電磁EHF信号の受信に応答して、変調されていないかまたは低レベル変調された第2の電磁EHF信号の送信を可能にするようにさらに構成されている、本発明1024の第2のデバイス。
[本発明1040]
前記第1の信号コントローラが、前記第1のEHF通信ユニットが前記第1の電磁EHF信号を非変調信号として受信した後で、前記第2のデバイスによって必要とされる規定のコードで変調された第2の電磁EHF信号の送信を可能にするようにさらに構成されている、本発明1024の第2のデバイス。
[本発明1041]
前記第1の信号コントローラが、規定のコードで変調された第2の電磁EHF信号の送信を可能にした後で、受信した前記第1の電磁EHF信号が高レベル変調で変調されているかどうかを判定し、前記受信した電磁EHF信号が高レベル変調で変調されているときに、規定のコードで変調された前記第2の電磁EHF信号の送信を不可能にし、かつ高レベル変調もされている前記第2の電磁EHF信号の送信を可能にするようにさらに構成されている、本発明1040の第2のデバイス。
[本発明1042]
前記第1の信号コントローラが、
変調された前記第2の電磁EHF信号の送信を可能にした後で、前記第1のデバイスによって送信される前記第1の電磁EHF信号を引き続き受信し、
前記第1のシールド部と前記第2のシールド部とが位置合わせされていることを、受信した続いている前記第1の電磁EHF信号が示しているかどうかを判定し、
前記第1のシールド部と前記第2のシールド部とが位置合わせされていないことを、受信した続いている前記第1の電磁EHF信号が示しているという判定に応答して、変調された前記第2の電磁EHF信号の送信を不可能にする
ようにさらに構成されている、本発明1024の第2のデバイス。
[本発明1043]
変調された前記第2の電磁EHF信号が、第1のシールド部と第2のシールド部とが位置合わせされているときには規定の放射規制範囲内の電磁放射を有し、前記第1のシールド部と前記第2のシールド部とが位置合わせされていないときには前記規定の放射規制範囲を超える電磁放射を有する、本発明1024の第2のデバイス。
[本発明1044]
以下を備える、第1のデバイスとの通信リンクにおいて使用するための第2のデバイス：
前記第1のデバイスによって送信される第1の電磁EHF信号を近接場結合により受信するように構成された第1のEHF通信ユニット；ならびに
該第1のEHF通信ユニットに連結されており、かつ
前記第1のデバイスが前記第2のデバイスとの通信について許容できるデバイスであることを、受信した前記第1の電磁EHF信号が示しているかどうかを判定し、かつ
前記第1のデバイスが前記第2のデバイスとの通信について許容できるデバイスであるという判定に応答して、前記第1のEHF通信ユニットによる変調された第2の電磁EHF信号の近接場結合による送信を可能にする
ように構成された第1の信号コントローラ。
[本発明1045]
前記第1の信号コントローラが、前記第1のデバイスによって送信されるロック解除コードが許容できるロック解除コードであるかどうかを判定するようにさらに構成されている、本発明1044の第2のデバイス。
[本発明1046]
前記第1の信号コントローラが、前記ロック解除コードが許容できるデバイスを識別するかどうかを判定するようにさらに構成されている、本発明1045の第2のデバイス。
[本発明1047]
前記第1の信号コントローラが、受信した前記第1の電磁EHF信号が1つまたは複数の規定の基準に基づいて変調されているかどうかを判定するようにさらに構成されている、本発明1044の第2のデバイス。
[本発明1048]
前記第1の信号コントローラが、受信した前記第1の電磁EHF信号が許容できる認証パターンに従って書式設定されたデータで変調されているかどうかを判定するようにさらに構成されている、本発明1047の第2のデバイス。
[本発明1049]
前記第1の信号コントローラが、受信した前記第1の電磁EHF信号が許容できるデータパターン、許容できるデータレート、許容できるビット誤り率、および許容できるプロトコルのうちの少なくとも一つで変調されているかどうかを判定するようにさらに構成されている、本発明1047の第2のデバイス。
[本発明1050]
前記第1の信号コントローラが、受信した前記第1の電磁EHF信号が規定の期間にわたって規定の閾値より大きい強度を有するかどうかを判定するようにさらに構成されている、本発明1047の第2のデバイス。
[本発明1051]
前記第1の信号コントローラが、前記第1のデバイスの第1のアンテナおよび前記第2のデバイスの第2のアンテナの少なくとも一方のインピーダンスを決定するようにさらに構成されている、本発明1044の第2のデバイス。
[本発明1052]
前記第1の信号コントローラが、前記第2のデバイスから前記第1のデバイスへ送信されて該第1のデバイスから該第2のデバイスへ送り返される電磁EHF信号の飛行時間を決定するようにさらに構成されている、本発明1044の第2のデバイス。
[本発明1053]
本発明1044の第2のデバイスと第1のデバイスとを備えるシステムであって、前記第1のデバイスが、前記第1の電磁EHF信号を送信するように構成された第2のEHF通信ユニットを備え、該第2のEHF通信ユニットが、前記第2のデバイスからの変調された第2の電磁EHF信号の前記第1のデバイスによる受信に応答して、前記第1の電磁EHF信号を変調された第1の電磁EHF信号として前記第2のデバイスへ送信するように構成されている、前記システム。
[本発明1054]
本発明1044の第2のデバイスと第1のデバイスとを備えるシステムであって、前記第1のデバイスが、前記第1の電磁EHF信号を送信するように構成された第2のEHF通信ユニットを備え、前記第1のデバイスが、前記第2の電磁EHF信号を受信するように構成された第3のEHF通信ユニットをさらに備え、かつ前記第2のデバイスが、前記第1の信号コントローラに連結されておりかつ前記第2の電磁EHF信号を送信するように構成された第4のEHF通信ユニットをさらに備える、前記システム。
[本発明1055]
前記第1のデバイスが、前記第1のデバイスと前記第2のデバイスとが位置合わせされているかどうかを、前記第4のEHF通信ユニットによって送信されて前記第3のEHF通信ユニットによって受信される前記第2の電磁EHF信号の1つまたは複数の特性を評価することによって判定するように構成された第2の信号コントローラをさらに備える、本発明1054のシステム。
[本発明1056]
本発明1044の第2のデバイスと第1のデバイスとを備えるシステムであって、前記第2のデバイスが第1のEHF通信ユニットを一部取り囲む第1のシールド部をさらに備え、前記第1のデバイスが、前記第1の電磁EHF信号を送信するように構成された第2のEHF通信ユニットと、該第2のEHF通信ユニットを一部取り囲む第2のシールド部とを備え、前記第1のデバイスおよび前記第2のデバイスが各々、前記第1のEHF通信ユニットと前記第2のEHF通信ユニットとの位置合わせの結果として前記第1のシールド部と前記第2のシールド部との実質的な位置合わせが得られるように構成されている、前記システム。
[本発明1057]
前記第1の信号コントローラが、前記第1のEHF通信ユニットによる前記第1の電磁EHF信号の受信に応答して、変調されていないかまたは低レベル変調された第2の電磁EHF信号の送信を可能にするようにさらに構成されている、本発明1044の第2のデバイス。
[本発明1058]
前記第1の信号コントローラが、前記第1のEHF通信ユニットが前記第1の電磁EHF信号を非変調信号として受信した後で、前記第2のデバイスによって必要とされる規定のコードで変調された第2の電磁EHF信号の送信を可能にするようにさらに構成されている、本発明1044の第2のデバイス。
[本発明1059]
前記第1の信号コントローラが、規定のコードで変調された前記第2の電磁EHF信号の送信を可能にした後で、受信した前記第1の電磁EHF信号が高レベル変調で変調されているかどうかを判定し、受信した前記第1の電磁EHF信号が高レベル変調で変調されているときに、規定のコードで変調された前記第2の電磁EHF信号の送信を不可能にし、かつまた高レベル変調された第2の電磁EHF信号の送信を可能にするようにさらに構成されている、本発明1058の第2のデバイス。
[本発明1060]
以下を備える、第1のデバイスと第2のデバイスとの間の通信リンクを確立するための前記第1および第2のデバイスを有するシステムにおいて使用するための第1のデバイス：
対応する第2のデバイスによって必要とされる規定のコードで低レベル変調された第1の電磁EHF信号を前記第2のデバイスへ送信するように構成された第1のEHF通信ユニット；
前記第2のデバイスによって送信される第2の電磁EHF信号を受信するように構成された第2のEHF通信ユニット；および
受信した前記第2の電磁EHF信号が高レベル変調で変調されているかどうかを判定し、受信した前記第2の電磁EHF信号が高レベル変調で変調されているときに、前記第1の通信ユニットによる低レベル変調された前記第1の電磁EHF信号の送信を不可能にし、かつ高レベル変調された第1の電磁EHF信号の送信を可能にするように構成された信号コントローラ。
[本発明1061]
前記信号コントローラが、高レベル変調された前記第1の電磁EHF信号の送信を可能にした後で、前記第2の電磁EHF信号がもはや受信されていないと判定し、かつ高レベル変調された前記第1の電磁EHF信号のそれ以上の送信を不可能にするようにさらに構成されている、本発明1060の第1のデバイス。
[本発明1062]
前記信号コントローラが、高レベル変調された前記第1の電磁EHF信号の送信を不可能にした後で、低レベル変調された第1の電磁EHF信号の送信を可能にするようにさらに構成されている、本発明1061の第1のデバイス。